(57)【要約】【課題】新管Ｂの搬入・配管とグラウト材ａの充填の繰り返しを極力なくし、間仕切り壁Ｄの形成等の工数を削減する。【解決手段】農業用水トンネル水路（鞘管）Ａ内に強化プラスチック複合管Ｂを挿入して新配管Ｂ´を形成し、その管Ｂと鞘管Ａの間に各管Ｂの注入口１を介して水中不分離性グラウト材ａを充填する。グラウト材ａが水中不分離性のため、管Ｂと鞘管Ａ間の溜まり水ｂは、そのグラウト材ａの充填につれて他端側に押され、やがて他端の間仕切り壁の排出口２から流出する。このため、溜まり水の量を考慮することなく、グラウト材ａの充填範囲を決定、例えば、一施工業者が受け持った一工区の長さとすることができる。グラウト材の充填は、次段の注入口１からのグラウト材のリークを確認した後、その注入口１にホース１３ｂを接続して注入する。これにより、管Ａ、Ｂの間にグラウト材が充填されない空気層が生じ難い。【選択図】図２
2006017187.tif 000002
【特許請求の範囲】
【請求項１】
地中に敷設された鞘管Ａ内に新管Ｂを順々に挿入してその各新管Ｂを継ぎ合わせて新配管Ｂ´を形成し、その新配管Ｂ´と前記鞘管Ａの間に新管Ｂの注入口１を介してグラウト材ａを充填する鞘管と新管間へのグラウト材の充填方法において、
上記グラウト材ａを充填する新配管Ｂ´の両端部の新管Ｂと鞘管Ａの間を間仕切り壁Ｄにより閉塞するとともに、その一方の間仕切り壁Ｄに排出口２を形成し、新配管Ｂ´の他方の端部から一方の端部に向かって、水中不分離性グラウト材ａを上記各注入口１から新配管Ｂ´と鞘管Ａの間に注入するとともに、その新配管Ｂ´と鞘管Ａの間にある溜まり水ｂを前記グラウト材ａにより新配管Ｂ´の一方の端部側に押し出して上記排出口２から排出しつつ、新配管Ｂ´と鞘管Ａの間の全長に亘ってグラウト材ａを充填することを特徴とする鞘管と新管間へのグラウト材の充填方法。
【請求項２】
上記グラウト材ａの充填は、今注入している前段の注入口１の次に注入する次段の注入口１からのグラウト材ａのリークを確認した後、その次段の注入口１にグラウト材注入ホース１０を接続して注入することを特徴とする請求項１に記載の鞘管と新管間へのグラウト材の充填方法。
【請求項３】
請求項２において、上記グラウト材注入ホース１０を、グラウト材供給ホース１１に三方バルブ１２を介して２本の上記注入ホース１３ａ、１３ｂを選択的に連通可能に接続したものとし、その一の注入ホース１３ａを前段の注入口１に接続してグラウト材ａを注入し、次段の注入口１からのグラウト材ａのリークを確認した後、次段の注入口１に他の注入ホース１３ｂを接続し、前記三方バルブ１２により、前段の注入口１から次段の注入口１へグラウト材ａの送り込みを切り換えるようにしたことを特徴とする鞘管と新管間へのグラウト材の充填方法。
【請求項４】
一日の作業終了時には、上記グラウト材ａの充填終了は、上記注入口１からのリーク確認直後とし、次の日の作業開始は、その注入口１からのグラウト材注入により再開することを特徴とする請求項２又は３に記載の鞘管と新管間へのグラウト材の充填方法。
【請求項５】
上記注入口１を新管Ｂの上部に形成するとともに、上記排出口２を間仕切り壁Ｄの全周に亘って複数形成し、上記グラウト材ａのリークを確認した排出口２から順に閉塞し、最上位の排出口２からグラウト材ａがリークしたら、新配管Ｂ´全長のグラウト材ａの充填が終了したとすることを特徴とする請求項１乃至４のいずれかに記載の鞘管と新管間へのグラウト材の充填方法。
【発明の詳細な説明】
【技術分野】
【０００１】
この発明は、老朽化した既設水路トンネル又は既設管水路等に新管を順々に挿入してその各新管を継ぎ合わせて新配管を形成し、その新配管と前記既設水路トンネル等の間に新管の注入口を介してグラウト材を充填するパイプイントンネル工法等における鞘管と新管間へのグラウト材の充填方法に関するものである。
【背景技術】
【０００２】
今日、上下水管路、農業用水配管路等として、過去に、ボックスカルバート、ヒューム管等により形成した既設水路トンネル又は既設管水路が老朽化した場合、それらのトンネル等内に、新管を順々に挿入して新配管を形成する等のパイプイントンネル工法により、その水路を更新することが行われている。また、地中にガス導管などの配管を設置する際、その導管の防食被覆の損傷防止や敷設後の配管保護のために、その導管の外側に鞘管を設ける工法が行われている。以下、ボックスカルバート等よりなる既設水路トンネル、既設管水路等のように地中横方向に筒状の空間を形成した構造物を、総称して「鞘管」と称し、その鞘管内に配設される導管、新管からなる配管を「新配管」という。
【０００３】
これらの工法においては、その新配管と鞘管の間にグラウト材を充填して、新管と鞘管を一体化して管路全体の強度等を高める必要がある。
【０００４】
例えば、その一工法として、図４、図５に示すように、既設トンネル水路（鞘管）Ａ内に新管Ｂを順々に挿入してその各新管Ｂを管継手Ｃを介して継ぎ合わせて新配管Ｂ´を形成し、その新配管Ｂ´（新管Ｂ）と鞘管（既設管）Ａの間に新管Ｂの注入口を介してグラウト材ａを充填するものがある（特許文献１参照）。
【特許文献１】特開平９−１６６２４２号公報
【発明の開示】
【発明が解決しようとする課題】
【０００５】
これらの工法において、グラウト材ａの充填は、図５に示すように、１５〜２０本程の新管Ｂを一回のグラウト材ａの充填範囲とし、その範囲の両端の新管Ｂと鞘管Ａの間に中間部間仕切り壁Ｄを形成し、新管Ｂに形成した注入口から、グラウト材ａを新管Ｂと鞘管Ａの間に注入して行っている。
【０００６】
その一回のグラウト材ａの充填範囲を１５〜２０本程の新管Ｂを継げた配管長さＬとしているのは、その長さは、一日に打設可能なグラウト材ａの量が鞘管Ａと新管Ｂの隙間の断面積で割って決定され、通常、一日に打設可能なグラウト材ａの量が２０〜６０ｍ3であって、その量を、通常の鞘管Ａと新管Ｂの隙間の断面積で割ると、新管Ｂを１５〜２０本程継げた長さとなるからである。
【０００７】
ところで、中間部仕切り壁Ｄをなくせば、その工数の削減となって、工費の低減化を図れて、今日のコスト削減要請に応え得る。しかし、中間部仕切り壁Ｄをなくすと、グラウト材ａの打設を数日に亘って行うこととなり、その時間を空けて打設した打ち継ぎ面の強度低下等の問題が生じる恐れがある。
【０００８】
また、そのグラウト材ａの充填時、既設水路内であること等の理由から、鞘管Ａ内には溜まり水や地中からの湧き水（以下、両者を「溜まり水」と言う）があり、グラウト材ａに通常のエアミルクを使用した場合、その溜まり水にエアミルクが接触すると、互いに混じり合ってエアミルクの水分量が増加し、気泡とミルクとの材料分離が生じ、分離した気泡は非常に脆弱なものとなる。この場合、エアミルクの品質は著しく低下し、充填層の強度不足の原因となる。このため、従来では、溜まり水を抜いた後、エアミルクを打設しており、その水抜き作業が繁雑である上に、水抜きが不十分であると、前記のエアミルクの品質の低下を招いて充填層の強度不足等の問題が生じる。
【０００９】
この発明は、一回のグラウト材ａの充填範囲を長くして、中間部間仕切り壁Ｄの形成数を削減することを課題とする。
【課題を解決するための手段】
【００１０】
上記課題を解決するために、この発明は、まず、グラウト材ａに水中不分離性のもの（水中分離抵抗性の優れたもの）を使用したのである。
水中不分離性のグラウト材ａは、溜まり水と接触しても混じり合うことはないため、鞘管と新配管の間に打設されたグラウト材ａは溜まり水と接触面を保ちつつ、溜まり水を押し出して行くこととなる。このため、グラウト材ａの品質は殆ど低下せず、混練直後と同程度のものを充填できる。
また、水中不分離性のグラウト材ａは、時間をおいて打ち継ぎをした場合、その打ち継ぎ部においても強度の大きな低下は認められない。このため、打ち継ぎ部が生じる箇所に形成する中間仕切り壁を設ける必要がなくなる。
【００１１】
つぎに、この発明は、グラウト材ａの充填範囲の両端部には従来と同様にグラウト材ａの流出防止用間仕切り壁を形成し、その一方の端に向かって他の端からグラウト材ａを充填するようにしたのである。
通常、一施工業者が受け持った一工区全長に亘ってグラウト材ａを打設するには、一日の作業では行うことができず、数日に分けて作業をしなくてはならないため、その作業の節目の打設箇所には、打ち継ぎ部が生じることとなる。この場合、上記のように、水中不分離性のグラウト材ａは、その打ち継ぎ部においても強度の大きな低下は認められないから、従来、その打ち継ぎ部に形成していた中間仕切り壁を設ける必要はない。このため、例えば、一施工業者が受け持った一工区全長をグラウト材ａの充填範囲とし、その両端に間仕切り壁を形成し、それ以外（中間）には間仕切り壁を形成する必要はなくなる。
【００１２】
したがって、グラウト材ａの充填範囲の両端部にグラウト材ａの流出防止用間仕切り壁を形成し、その一方の端に向かって他の端からグラウト材ａを充填すると、グラウト材ａが水中不分離性のため、新管Ｂと鞘管Ａの間にある溜まり水は、そのグラウト材ａの充填につれてそのグラウト材ａにより一方の端部側に押し出され、やがて他端の間仕切り壁の排出口から流出する。このため、溜まり水を考慮することなく、グラウト材ａの充填範囲を決定することができる。例えば、その充填範囲を、一施工業者が受け持った一工区の長さとすることができる。
【発明の効果】
【００１３】
この発明は、以上のようにしたので、例えば、その充填範囲を、一施工業者が受け持った一工区の長さとすることができるとともに、中間部間仕切り壁Ｄの形成等の工数を削減することができ、工期の短縮と工費の削減を図ることができる。
【発明を実施するための最良の形態】
【００１４】
この発明の実施形態としては、地中に敷設された鞘管内に新管を順々に挿入してその各新管を継ぎ合わせて新配管を形成し、その新配管と前記鞘管の間に各新管の注入口を介してグラウト材を充填する方法において、前記グラウト材を充填する新配管の両端部の新管と鞘管の間を間仕切り壁により閉塞するとともに、その一方の間仕切り壁に排出口を形成し、新配管の他方の端部から一方の端部に向かって、水中不分離性グラウト材を前記各注入口から新配管と鞘管の間に注入するとともに、その新配管と鞘管の間にある溜まり水を前記グラウト材により新配管の一方の端部側に押して前記排出口から排出しつつ、新配管と鞘管の間の全長に亘ってグラウト材を充填する構成を採用し得る。
【００１５】
この構成において、上記グラウト材の充填は、今、注入している前段の注入口の次に注入する次段の注入口からのグラウト材のリークを確認した後、その次段の注入口にグラウト材注入ホースを接続して注入するとよい。
【００１６】
このように、次段の注入口からグラウト材がリークすれば、その注入口までグラウト材が至ったことであり、その至った状態で、その次段の注入口からグラウト材を注入することとなるため、次段の注入口から送り込まれたグラウト材が前段の注入口に向かって進み、前段の注入口からのグラウト材の充填層との間に空気層を形成する恐れが殆んどなくなる（後述の実施例参照）。空気層が全くなくなるようにするには、現場施工、実験などにより、次段のグラウト材の注入時期（タイミング）を適宜に決定する。
【００１７】
その前段から次段の注入口へのグラウト材の注入切り換えは、例えば、上記グラウト材注入ホースを、グラウト材供給ホースに三方バルブを介して２本の上記注入ホースを選択的に連通可能に接続したものとし、その一の注入ホースを前段の注入口に接続してグラウト材を注入し、次段の注入口からのグラウト材のリークを確認した後、次段の注入口に他の注入ホースを接続し、前記三方バルブにより、前段の注入口から次段の注入口へグラウト材の送り込みを切り換える構成を採用できる。
【００１８】
また、グラウト材の充填範囲を長くし得ても、例えば、一工区とし得ても、一日でグラウト材を充填できる範囲（長さ）は一定であり（限られ）、数日に分けて作業をしなければならない場合が多い。そのような場合には、一日の作業終了時には、上記グラウト材の充填終了は、上記注入口からのリーク確認直後とし、次の日の作業開始は、その注入口からのグラウト材注入により再開するようにすると良い。
【００１９】
このようにすれば、上述の前段の注入口から次段の注入口へのグラウト材の注入切り換えのように、一日の作業終了時には、例えば、翌日に注入する注入口までグラウト材が至っており、その至った状態で、その注入口からグラウト材を注入することとなるため、翌日に送り込まれたグラウト材が前日の最終の注入口に向かって進んで、前日のグラウト材の充填層との間に空気層を形成する恐れが殆んどなくなる。
【００２０】
さらに、これらの構成において、上記注入口を各新管の上部に形成するとともに、上記排出口を間仕切り壁の全周に亘って複数形成し、上記グラウト材のリークを確認した排出口から順に閉塞し、最上位の排出口からグラウト材がリークしたら、新配管全長のグラウト材の充填が終了したとすることができる。
【００２１】
このようにすれば、各注入口に送り込まれたグラウト材は、新管の上部から下部に向かって新配管と鞘管の間を流れ、その下部から上部に向かって徐々に充填されながら、新配管の他方の端部（次段の注入口）に向かって流れて充填される。このため、その新配管の他の端においても、その間仕切り壁の下部からグラウト材が充填されて、最下部の排出口からグラウト材はリークし、そのグラウト材のリークを確認した排出口から順に閉塞し、最上位の排出口からグラウト材がリークすれば、新配管全長の新管と鞘管の間にグラウト材が充填されたこととなる（後述の実施例参照）。
【実施例】
【００２２】
一実施例を図１（ａ）〜（ｆ）、図２に示し、この実施例は、図４で示した断面馬蹄形の農業用水トンネル水路（鞘管）Ａ内に強化プラスチック複合管から成る新管Ｂを順々に挿入して、その各新管Ｂを継ぎ合わせて新配管Ｂ´を形成し、その新配管Ｂ´と鞘管Ａの間に各新管Ｂの注入口１を介してグラウト材ａを充填するものである。この新管Ｂの挿入、グラウト材ａの充填用機材等は、農業用水トンネル水路Ａであるため、その全長が一工区となり、その両端の出入口前に作業スペースＨを確保して、それらの作業を行う。グラウト注入口１は、各新管Ｂにそれぞれ設ける必要はなく、グラウト材ａの充填性を考慮して、１又は２、３・・新管Ｂ毎と任意である。
【００２３】
鞘管Ａ内への新管Ｂの搬入（挿入）は、公知の搬送台車等を使用して適宜に行い、その新管Ｂの接続（継ぎ合わせ）も同様に、強化プラスチック複合管から成る管継手Ｃを用いる等の公知の手段を採用する（特許文献２等参照）。
【特許文献２】特開２００１−２１０６３号公報
【００２４】
鞘管Ａ内への新管Ｂの搬送・接続が一工区（トンネル全長）に亘って完了すれば、図１（ａ）に示すように、その一工区の両端の鞘管Ａと新管Ｂの端間にモルタル等により間仕切り壁Ｄを形成してその間を閉塞する。その間仕切り壁Ｄは、まず、最先の新管Ｂの先端と最終の新管Ｂの後端（新配管Ｂ´の両端）にモルタルバック（例えば、長さ：６００ｍｍ）ｄ1を取り付け、そのモルタルバックｄ1にグラウト材ａを充填し、その固化後、セメント等の乾燥やひび割れ抵抗性に優れた材料をその壁の外側に充填して端面処理ｄ2を行って形成する。
【００２５】
また、一方（図では右端）の間仕切り壁Ｄにはその全周に亘って等間隔に排出口２を形成する。この排出口２の大きさ・間隔は、後述の溜まり水ｂの排水性を実験・実際の施工などにおいて得られたデータによって適宜に決定する。なお、間仕切り壁Ｄは他の公知の手段で形成し得る。
【００２６】
一工区の両端（新配管Ｂ´の両端）に間仕切り壁Ｄが形成されれば、その工区の一方の端の作業スペースＨに、グラウト材ａの充填プラント機材Ｅを搬入し、そのプラント機材Ｅからグラウト材ａの注入ホース１０を新管Ｂ内に送り込む。
【００２７】
その注入ホース１０は、図２に示すように、グラウト材供給ホース１１に三方バルブ１２を介して２本の注入ホース１３ａ、１３ｂを選択的に連通可能に接続したものである。その供給ホース１１にはブレンダー１４が介設されており、このブレンダー１４にミルクａ´及び気泡（エアー）cが送り込まれてエアミルク（グラウト材）ａが作られ、そのグラウト材ａが三方バルブ１２を介して２本の注入ホース１３ａ、１３ｂに選択的に送り込まれる。注入ホース１３ａ、１３ｂはその先端に接続金具１５が設けられており、この接続金具１５により、各新管Ｂの後端上部の注入口１に接続される。図中、１６は供給ホース１１に介設されたグラウト材ａのリリーフバルブ、１７は圧力計である。
【００２８】
新配管Ｂ´両端の鞘管Ａと新管Ｂ間の間仕切り壁Ｄによる閉塞が完了すれば、図１（ｂ）に示すように、その注入ホース１３ａ、１３ｂの一方を一端の新管Ｂの注入口１に接続し、三方バルブ１２により、その注入ホース１３ａにグラウト材ａを送り込まれるようにした後、その一方の注入ホース１３ａにグラウト材ａを送り込むと、グラウト材ａは、その注入口１から鞘管Ａと新管Ｂの間に入り込み、新管Ｂの上部から下部に向かって新配管Ｂ´と鞘管Ａの間を流れ、その下部から上部に向かって徐々に充填されながら、配管Ｂ´の他方の端部（次段の注入口１）に向かって流れて充填される。
【００２９】
このとき、グラウト材ａには水中不分離性、例えば、特許文献３に記載等のエアミルク（例えば、密度：１．０〜１．２ｔｏｎ／ｍ3、フロー値：１００〜１４０ｍｍ、２８日圧縮強度：１．０Ｎ／ｍｍ2）を使用し、このグラウト材ａが水中不分離性であることにより、グラウト材ａが配管Ｂの他方の端部に向かって流れて充填されると、図１各図に示すように、その充填につれて、鞘管Ａと新管Ｂの間の溜まり水ｂは新配管Ｂ´他端に押されてその端の排出口２から排出される。
【特許文献３】特開平５−１０６２２４号公報
【００３０】
この注入口１へのグラウト材ａの注入が進み、図２に示すように、次段の注入口１（隣の新管Ｂの注入口１）にそのグラウト材ａが至ってリークすれば、一方の注入ホース１３ａへのグラウト材ａの送り込みを止めるとともに、他方の注入ホース１３ｂを次段の注入口１に接続し、三方バルブ１２によりその他方の注入ホース１３ｂにグラウト材ａを送り込んで、次段の注入口１から鞘管Ａと新管Ｂの間にグラウト材ａを送り込む。そのグラウト材ａは、前述と同様に、その注入口１から鞘管Ａと新管Ｂの間に入り込み、新管Ｂの上部から下部に向かって新配管Ｂ´と鞘管Ａの間を流れ、その下部から上部に向かって徐々に充填されながら、新配管Ｂ´の他方の端部（次段の注入口１）に向かって流れて充填される。
【００３１】
このように、グラウト材aの充填を、次に注入する次段の注入口１からのグラウト材ａのリークを確認した後、その次段の注入口１にグラウト材ａの注入ホース１３ｂを接続して注入することは、次段の注入口１からグラウト材ａがリークすれば、その注入口１までグラウト材ａが至ったことであり、その至った状態で、その次段の注入口１からグラウト材ａを注入することとなるため、図２に示すように、次段の注入口１から送り込まれたグラウト材ａが前段の注入口１に向かって進み、前段の注入口１からのグラウト材ａの充填層との間に空気層を形成する恐れが殆んどなくなる。
【００３２】
この作用を繰り返して、図１（ｄ）に示すように、グラウト材ａが他方の間仕切り壁Ｄに至ると、その壁Dの最下部の排出口２からリークし始める。そのリークを確認した排出口２から詰め物の嵌入等により順に閉塞し（図１（ｅ）参照）、最上位の排出口２からグラウト材ａがリークしたら、新配管B全長のグラウト材ａの充填が終了したこととなる（図１（ｆ））。これらの充填作業が終了すれば、注入ホース１０、プラント機材E等を除去して作業を終了する。
なお、プラント機材Eは、図示のように、新配管Ｂ´内に搬入可能なものとしたり、新配管Ｂ´両端の作業スペースＨに常時あって、注入ホース１０を延長して所要の注入口１に至らすことができる等の公知のものを適宜に採用し得る。
【００３３】
このグラウト材ａの充填作業が、新配管Ｂ´の一端から他端（一工区）まで、一日でいっきに行え得れば良いが、通常、その全長を一日で充填することは困難である。このため、数日に分けて行うことになるが、その場合には、図１（ｃ）に示すように、一日の作業終了時には、グラウト材ａの充填終了は、注入口１からのリーク確認直後とし（グラウト材ａは点線の位置まで充填されている）、次の日の作業開始は、その注入口１からのグラウト材ａの注入により、実線のごとく再開する。
【００３４】
このようにすれば、上述の前段の注入口１から次段の注入口１へのグラウト材aの注入切り換えのように、一日の作業終了時には翌日に注入する注入口１までグラウト材aが至っており、その至った状態で、その注入口1からグラウト材ａを注入することとなるため、翌日に送り込まれたグラウト材ａが前日の最終の注入口１に向かって進んで、前日のグラウト材ａの充填層との間に空気層を形成する恐れが殆んどなくなり、一日、作業を止めた支障はなくなる。この場合、作業をあける（止める）日数は一日に限らず、支障がない限りにおいて任意である。
【００３５】
この実施例は、新配管Ｂ´両端の鞘管Ａと新管Ｂ間に間仕切り壁Ｄを設けただけであり、その間のグラウト材ａの打ち継ぎ部の強度が問題となる。
このため、図３（ａ）〜（ｆ）に示すように、内径：φ５ｃｍ、高さ：１０ｃｍの筒状型枠Ｚを用意し、その型枠Ｚ内に、グラウト材ａを一層充填したもの（同図（ａ））、その軸を、「０度」（同図（ｂ））、「１５度」（同図（ｃ））、「３０度」（同図（ｄ））、「４５度」（同図（ｅ））、「６０度」（同図（ｆ））傾けて、まず、各型枠Ｚに、一層目のグラウト材ａ1を充填し、その状態を１日及び７日間維持し、次に、その型枠Ｚを垂直にし（立てて）、さらに、二層目のグラウト材ａ2を充填して２８日間の養生をした。
【００３６】
試験体は、それぞれに付き、３本（３個）を得た（図３（ａ）の試験体は３本、同図（ｂ）〜同図（ｆ）の各試験体は、それぞれ、１日後に二層目のグラウト材ａ2を充填したもの：３本、７日後に二層目のグラウト材ａ2を充填したもの：３本、）。
その充填２８日後（材齢２８日後）に、その型枠Ｚから、試験体を離型し、ＪＩＳ  Ａ１２１６に準拠して、その試験体の圧縮強度試験を行った。その結果を表１に示す。各数値は、同一条件の試験体３本の平均値において、「打ち継ぎ部無し」（同図（ａ））の強度：１．６３Ｎ／ｍｍ2を１．００としたときの、その強度に対する各試験体の圧縮強度の比率を示す。
【００３７】
【表１】
2006017187.tif 000003
【００３８】
これによると、各傾斜角度（０度、１５度、３０度、４５度、６０度）において、「打ち継ぎ部無し」（図３（ａ））と大差はなく、打ち継ぎ部のグラウト材ａの継ぎ面が種々の傾斜面となっても、十分な打ち継ぎ部の強度を有することが分かる。このため、実施例においては、間仕切り壁Ｄを設けずに打ち継ぎ面が生じても、その打ち継ぎ部分の強度低下がないため、その新配管Ｂ´両端の鞘管Ａと新管Ｂ間の全長に亘って、十分な強度を有するグラウト材ａの充填層を得ることができる。
【００３９】
実施例は、農業用水用トンネル水路Aの更新の場合であったが、この発明は、その農業用水用トンネル水路Ａの更新に限らず、上下水管などの既設管を更新すべく、その既設管を鞘管としてその中に新管を順々に挿入して新配管を形成する等の既設管更新工法やパイプインパイプ工法のみならず、既設の水路にパイプを施設するパイプイン水路工法、さらに、地中にガス導管などの配管を設置する際、その導管の防食被覆の損傷防止や敷設後の配管保護のために、その導管の外側に鞘管を設ける工法などにおいても採用できることは言うまでもない。
そのとき、トンネル等の両端に開口部がある管路ではなく、水道管などの開口部がない管路では、例えば、竪坑を形成し、その竪坑にその新管Ｂ、各種の機材等を搬入して、新管Ｂの挿入・グラウト材ａの充填を行う。
【図面の簡単な説明】
【００４０】
【図１（ａ）】一実施例の作用説明図
【図１（ｂ）】同実施例の作用説明図
【図１（ｃ）】同実施例の作用説明図
【図１（ｄ）】同実施例の作用説明図
【図１（ｅ）】同実施例の作用説明図
【図１（ｆ）】同実施例の作用説明図
【図２】同実施例の作用説明用一部拡大図
【図３】同実施例の打ち継ぎ部の強度試験説明図
【図４】従来例の断面図
【図５】同一部切り欠き斜視図
【符号の説明】
【００４１】
Ａ  鞘管（農業用水トンネル水路）
Ｂ  新管
Ｂ´  新配管
Ｃ  管継手
Ｄ  間仕切り壁
ａ  グラウト材（エアミルク）
ａ´ミルク
ｂ  溜まり水
ｃ  エアー
１  注入口
２  排出口
１０  グラウト材注入ホース
１１  グラウト材供給ホース
１２  三方バルブ
１３ａ、１３ｂ  グラウト材注入ホース
１４  ブレンダー
１５  接続金具
１６  リリーフバルブ
【図１（ａ）】
2006017187.tif 000004
【図１（ｂ）】
2006017187.tif 000005
【図１（ｃ）】
2006017187.tif 000006
【図１（ｄ）】
2006017187.tif 000007
【図１（ｅ）】
2006017187.tif 000008
【図１（ｆ）】
2006017187.tif 000009
【図２】
2006017187.tif 000010
【図３】
2006017187.tif 000011
【図４】
2006017187.tif 000012
【図５】
2006017187.tif 000013